(57)【要約】【課題】コネクタの端子構成の異なる機器同士を接続する場合に機器間の電気的接続を防ぐことのできる電子機器及び表示装置を提供することである。【解決手段】実施形態の電子機器は、周辺機器に電気信号を伝送するための端子を有するコネクタと、上記周辺機器に上記電気信号を伝送するための伝送ラインを電気的に切断又は接続する切替手段と、上記周辺機器として上記コネクタに自機の非対応機器が接続された場合に、上記伝送ラインを電気的に切断させるための制御信号を上記切替手段に出力する切替制御手段と、を備える。【選択図】図２
2016189164.tif 000002
【特許請求の範囲】
【請求項１】
周辺機器に電気信号を伝送するための端子を有するコネクタと、
前記周辺機器に前記電気信号を伝送するための伝送ラインを電気的に切断又は接続する切替手段と、
前記周辺機器として前記コネクタに自機の非対応機器が接続された場合に、前記伝送ラインを電気的に切断させるための制御信号を前記切替手段に出力する切替制御手段と、
を備えることを特徴とする電子機器。
【請求項２】
前記切替制御手段は、前記周辺機器として前記コネクタに自機の対応機器が接続された場合に、前記伝送ラインを電気的に接続させるための制御信号を前記切替手段に出力する、
ことを特徴とする請求項１に記載の電子機器。
【請求項３】
前記周辺機器は、表示器であり、
前記コネクタは、前記非対応機器の汎用表示器を接続するためのコネクタと外形形状が共通する汎用コネクタであり、前記端子の用途の構成を示す端子構成は前記汎用表示器の端子構成とは異なる、  
ことを特徴とする請求項１又は２に記載の電子機器。
【請求項４】
前記切替制御手段は、前記汎用表示器のコネクタの端子構成において電力供給用として割り当てられている端子に該端子の指定供給電圧を誤挿入検出用の信号として供給し、所定の端子において前記誤挿入検出用の信号に由来する信号を検出すると前記伝送ラインを電気的に接続するための制御信号を前記切替手段に出力する、
ことを特徴とする請求項３に記載の電子機器。
【請求項５】
請求項４に記載の電子機器において、
自機の対応機器として専用表示器を備え、
前記専用表示器は、前記電子機器において前記誤挿入検出用の信号として供給された電圧を、前記誤挿入検出用の信号を検出するための前記電子機器の所定の端子にループバックにより供給するループバック手段を備える、
ことを特徴とする表示装置。
【発明の詳細な説明】
【技術分野】
【０００１】
本発明の実施形態は、電子機器及び表示装置に関する。
【背景技術】
【０００２】
従来、ＰＯＳ端末において、表示信号を処理するグラフィックインタフェースにＬＶＤＳ（Low  voltage  differential  signaling）と呼ばれる技術が採用されている。しかしながら、今後、ＬＶＤＳはサポートされなくなるため、グラフィックインタフェースのＤｉｓｐｌａｙＰｏｒｔ規格への変更が検討されている。グラフィックインタフェースをＤｉｓｐｌａｙＰｏｒｔ規格のものに仕様変更することにより、その規格に準拠する汎用コネクタ（レセプタクル）及び汎用プラグケーブルを表示信号の伝送部に使用できるようになる。
【０００３】
ＰＯＳ用の表示器には表示ディスプレイのみならずタッチパネルなども設けられている。タッチパネルの制御信号は、ＰＯＳ端末の制御部本体とＰＯＳ用の表示器とを接続する汎用プラグケーブルに表示信号と共に通すことになる。そのため、その汎用プラグケーブルを接続する汎用コネクタの端子はＰＯＳ端末に固有の端子構成をとり、ＤｉｓｐｌａｙＰｏｒｔ規格の標準の端子構成とは異なる。その汎用コネクタに汎用プラグケーブルを使い標準の端子構成の表示器を接続してしまうと、端子構成の違いから回路が誤作動したり、ショートしたりする恐れがあるので問題である。
【発明の概要】
【発明が解決しようとする課題】
【０００４】
本発明が解決しようとする課題は、コネクタの端子構成の異なる機器を接続する場合に接続先の機器との電気的接続を防ぐことのできる電子機器及び表示装置を提供することである。
【課題を解決するための手段】
【０００５】
実施形態の電子機器は、周辺機器に電気信号を伝送するための端子を有するコネクタと、上記周辺機器に上記電気信号を伝送するための伝送ラインを電気的に切断又は接続する切替手段と、上記周辺機器として上記コネクタに自機の非対応機器が接続された場合に、上記伝送ラインを電気的に切断させるための制御信号を上記切替手段に出力する切替制御手段と、を備える。
【図面の簡単な説明】
【０００６】
【図１】図１は、実施形態に係る商品読取装置の外観斜視図である。
【図２】図２は、マザーボードのハードウエアブロック図である。
【図３】図３は、第一のコネクタの外形形状を示す図である。
【図４】図４は、コネクタの端子構成の比較図である。
【図５】図５は、切替制御部と切替部の構成図の一例である。
【図６】図６は、ＰＯＳ用の表示器及び汎用表示器の接続を検出するための一例として示す構成図である。
【図７】図７は、伝送ラインを電気的に接続したときの状態を一例として示す図である。
【図８】図８は、伝送ラインを電気的に切断したときの状態を一例として示す図である。
【図９】図９は、プルダウン抵抗を設けた場合の構成図の一例である。
【図１０】図１０は、商品読取装置の接続動作手順を示すフローチャートである。
【発明を実施するための形態】
【０００７】
以下、添付図面を参照しながら電子機器及び表示装置の実施形態について詳細に説明する。
【０００８】
（実施形態）
本実施形態では、周辺機器を表示器とし、電子機器及び表示装置のＰＯＳ（Point  of  Sales）用機器への適用例を示す。
図１は、ＰＯＳ用機器の一例として示す商品読取装置の外観斜視図である。
図１に示すように、商品読取装置１はＰＯＳ用の表示器１−１と本体部１−２を有する。本体部１−２は「電子機器」に対応し、商品読取装置１は「表示装置」に対応する。ＰＯＳ用の表示器１−１は、「周辺機器」又は周辺機器の一つとしての「対応機器」や「専用表示器」に対応する。
【０００９】
ＰＯＳ用の表示器１−１は、表示ディスプレイ１０や、タッチパネル１１や、スピーカなどを備えている。ＰＯＳ用の表示器１−１は、汎用プラグケーブル（不図示）により本体部１−２と電気的に接続する。汎用プラグケーブル内には各種の信号や駆動電力などの電気信号を伝送するための電線（信号線）を収めている。ＰＯＳ用の表示器１−１は本体部１−２からの着脱が可能となっており、汎用プラグケーブルを抜き差しすることにより、他の表示ディスプレイとの交換が行える。
【００１０】
表示ディスプレイ１０は、液晶等の表示ディスプレイであり、本体部１−２の制御部からの表示信号により液晶等の表示画面に各種の画面データを表示する。例えば商品の登録をタッチ入力により行うための商品選択ボタンを配置した登録画面データなどを表示する。タッチパネル１１は例えば静電容量方式などのタッチパネルであり、表示ディスプレイ１０の表示画面に設けている。例えば操作者が表示画面上の商品選択ボタンをタッチすると、タッチパネル１１が操作者のそのタッチ操作を検出して表示画面上の座標を示す信号を本体部１−２の制御部に出力する。スピーカは、ＰＯＳ用の表示器１−１の筐体（第一の筐体）１２−１に内蔵している。スピーカは本体部１−２の制御部からの音声信号により例えば案内アナウンスなどを発する。
【００１１】
本体部１−２は、レーザスキャナ等の読取スキャナ１３を備えている。読取スキャナ１３は、商品に付されたバーコードの読み取り等を行うためのスキャナである。
【００１２】
本体部１−２の筐体（第二の筐体）１２−２には商品読取装置１の全体を制御するためのマザーボード２（図２参照）が収められている。マザーボード２は、上記制御部や各部のコントローラ、例えばＰＯＳ用の表示器１−１のコントローラなどを搭載している。本実施形態では、表示信号処理のためのインタフェース方式として、ＤｉｓｐｌａｙＰｏｒｔ規格を採用する。従って、マザーボード２側のレセプタクルとしての第一のコネクタ２９（図２参照）と表示器１−１側のレセプタクルとしてのコネクタにＤｉｓｐｌａｙＰｏｒｔ準拠のコネクタを使用する。また、コネクタ間の信号線の接続にＤｉｓｐｌａｙＰｏｒｔ準拠の汎用プラグケーブルを使用する。
【００１３】
次に、マザーボード２の構成について説明する。
図２は、マザーボード２のハードウエアブロック図である。
図２に示すマザーボード２は、ＣＰＵ２０、ＢＩＯＳ−ＲＯＭ２１、メモリ２２、チップセット２３、外部記憶装置２４、スキャナコントローラ２５、通信Ｉ／Ｆ２６、切替制御部２７、切替部２８、第一のコネクタ２９、電源部Ｐを備える。
【００１４】
ＣＰＵ２０は、中央演算処理装置であり、各種のプログラムを実行し、データの生成や、制御信号の出力等を行う。
【００１５】
ＢＩＯＳ−ＲＯＭ２１は、ＢＩＯＳ（Basic  Input/Output  System）を記憶するＲＯＭ（Read  Only  Memory）である。
【００１６】
メモリ２２は、ＣＰＵ２０の作業領域に使用されるＲＡＭ（Random  Access  Memory）である。
【００１７】
チップセット２３は、ノースブリッジやサウスブリッジを有し、メモリコントロールやＩ／Ｏ機器のコントロールなどを行う。本実施形態では、チップセット２３に、ＵＳＢコントローラ２３０、ＶＧＡコントローラ２３１、及びサウンドコントローラ２３２を搭載する。ＵＳＢコントローラ２３０は、ＵＳＢ機器のタッチパネル１１（図１参照）を制御し、タッチパネル１１からの入力信号を処理する。ＶＧＡコントローラ２３１は表示データを生成し、その表示信号を表示ディスプレイ１０（図１参照）に出力する。サウンドコントローラ２３２は、音声データを生成し、そのオーディオ信号をＰＯＳ用の表示器１−１の内蔵スピーカへ出力する。
【００１８】
外部記憶装置２４は、ＨＤＤやフラッシュＲＯＭ等であり、制御プログラム、商品名等の照会のための商品情報、画面データなどを記憶する。
【００１９】
スキャナコントローラ２５は、読取スキャナ１３（図１参照）と接続する。スキャナコントローラ２５は、読取スキャナ１３を駆動してバーコード情報を読み取る。
【００２０】
通信Ｉ／Ｆ２６は、商品読取装置１で読み取った商品情報をＰＯＳレジスタ等に送信するための通信インタフェースである。
【００２１】
切替制御部２７は、第一のコネクタ２９に汎用プラグケーブルを介して接続される表示器が自機の非対応機器か対応機器かに応じ、切替部２８に所定の制御信号を出力する。具体的に、自機の対応機器に当たるＰＯＳ用の表示器１−１ではない非対応機器の表示器が接続されるとする。その場合には、切替制御部２７は、切替部２８を「切断」に制御するための制御信号を出力する。また、自機の対応機器に当たるＰＯＳ用の表示器１−１が接続されるとする。その場合には、切替制御部２７は、切替部２８を「接続」に制御するための制御信号を出力する。以下、非対応機器の表示器をＤｉｓｐｌａｙＰｏｒｔ準拠の汎用表示器とした場合を例にする。
【００２２】
切替部２８は、切替制御部２７からの制御信号の入力に基づき、マザーボードと接続先の表示器との間の信号線を例えばスイッチ回路のスイッチングなどにより電気的に接続又は切断する。
【００２３】
第一のコネクタ２９は、ＤｉｓｐｌａｙＰｏｒｔ規格に準拠したレセプタクルであり、２０個の端子を有する。各端子には、表示信号、タッチパネル制御信号、オーディオ信号、表示器用電源等の信号線が結線される。
【００２４】
電源部Ｐは、商用電源などの電力を適宜電圧変換等を行って各部に供給する。また、本実施形態においては、汎用プラグケーブルを通じてＰＯＳ用の表示器１−１に表示器用の電力と（＋）３．３Ｖの直流電圧を供給する。
【００２５】
次に、第一のコネクタ２９の端子構成（つまりＰＯＳタイプの端子構成）について図３と図４を用いて説明する。
図３は、第一のコネクタ２９の外形形状（端子接続部の形状を含む）を示す図である。図３は、第一のコネクタ２９の端子接続部の概略正面図を示すものであり、各端子の位置に端子番号（Ｐｉｎ１〜Ｐｉｎ２０）を付している。図３に示す第一のコネクタ２９の外形形状は、ＤｉｓｐｌａｙＰｏｒｔ規格に準拠したものである。従って、第一のコネクタ２９には、汎用表示器において使用される汎用プラグケーブルの使用が可能となる。
【００２６】
図４は、第一のコネクタ２９の端子構成と汎用タイプの端子構成との比較図である。本例では、汎用タイプの端子構成として、ＤｉｓｐｌａｙＰｏｒｔ規格に準拠する汎用表示器の端子構成を示す。
【００２７】
図４には、第一のコネクタ２９に設けられている端子の端子番号一覧３０を示している。更に、汎用タイプの端子構成例を示す汎用タイプ一覧３１と、ＰＯＳタイプの端子構成例を示すＰＯＳタイプ一覧３２とを、端子番号一覧３０の各端子番号に対応させて示している。
【００２８】
先ず、汎用タイプ一覧３１に示す汎用タイプの端子構成について説明する。
汎用タイプの端子構成では、端子番号一覧３０に示す通り、「Ｐｉｎ１」〜「Ｐｉｎ３」、「Ｐｉｎ４」〜「Ｐｉｎ６」、「Ｐｉｎ７」〜「Ｐｉｎ９」及び「Ｐｉｎ１０」〜「Ｐｉｎ１２」が、夫々を組とする、表示信号の伝送に係る４つのレーン０〜３になっている。各レーンでは２．７Ｇｂｐｓのデータレートで表示信号を伝送することが可能となっている。「Ｐｉｎ１３」、「Ｐｉｎ１４」はグランド（以下、ＧＮＤと略す）となっている。「Ｐｉｎ１５」〜「Ｐｉｎ１７」は、リンク管理、ステータス、コンフィグレーション制御のための通信チャネルを構成する。「Ｐｉｎ１８」は、ホットプラグ検出用のチャネルを構成する。また、「Ｐｉｎ１９」はＧＮＤであり、「Ｐｉｎ２０」には（＋）３．３Ｖの電圧が供給される。
【００２９】
次に、ＰＯＳタイプ一覧３２に示すＰＯＳタイプの端子構成例について説明する。なお、ＰＯＳタイプ一覧３２に示す左矢印は、汎用タイプ一覧３１の端子構成と同じものであることを示している。
【００３０】
本例のＰＯＳタイプの端子構成では、表示信号の伝送用に「Ｐｉｎ１」〜「Ｐｉｎ３」のレーン０を使用する。「Ｐｉｎ４」〜「Ｐｉｎ６」、「Ｐｉｎ７」〜「Ｐｉｎ９」及び「Ｐｉｎ１０」〜「Ｐｉｎ１２」のレーン１〜３については、表示とは異なる用途に使用する。
【００３１】
より詳細に、本例のＰＯＳタイプの端子構成では、「Ｐｉｎ４」〜「Ｐｉｎ６」のレーン１を、ＵＳＢ機器（本例ではタッチパネル１１（図１参照））の制御用チャネルとして使用する。また、「Ｐｉｎ７」〜「Ｐｉｎ９」のレーン２をＰＯＳ用の表示器１−１への電源供給に使用する。また、「Ｐｉｎ１０」〜「Ｐｉｎ１２」のレーン３を、オーディオ信号の伝送用に使用する。また、「Ｐｉｎ１３」、「Ｐｉｎ１４」をオプションの専用信号の伝送用に使用する。また、「Ｐｉｎ１９」を対応機器やＤｉｓｐｌａｙＰｏｒｔ規格に準拠する汎用表示器（非対応機器）との接続を検出するために使用する。
【００３２】
次に、切替制御部２７、切替部２８の具体的な構成の一例を示す。
図５は、切替制御部２７と切替部２８の構成例を示す図である。
図５に示す切替制御部２７Ａは、入力信号Ｘの電圧レベルに応じて切替部２８Ａに切替用の制御信号Ｙを出力する入出力回路である。切替部２８Ａは、切替制御部２７Ａからの制御信号Ｙに応じて全てのスイッチＳＷ１、ＳＷ２、ＳＷ３、ＳＷ４、・・・（その他のスイッチは図示を省略）のオンとオフを切り替え、電気信号を伝送する全ての伝送ラインＬ１、Ｌ２、Ｌ３、Ｌ４、・・・（その他の伝送ラインＬ５〜Ｌ７（図７参照））を電気的に「接続」又は「切断」の状態にするスイッチ回路である。
【００３３】
各伝送ラインＬ１〜Ｌ７は、それぞれ、各種の伝送に係る複数組の電線を一本の線で示したものである。例えば、伝送ラインＬ１はＰｉｎ１〜Ｐｉｎ３の端子（図３、図４参照）の表示用信号を伝送する。また、伝送ラインＬ２はＰｉｎ４〜Ｐｉｎ６の端子（図３、図４参照）のタッチパネル制御信号（操作信号等）を伝送する。また、伝送ラインＬ３はＰｉｎ１０〜Ｐｉｎ１２の端子（図３、図４参照）のオーディオ信号を伝送する。また、伝送ラインＬ４はＰｉｎ７〜Ｐｉｎ９の端子（図３、図４参照）の、電源部Ｐの表示器用電源供給部Ｐ−１が供給するＰＯＳ用の表示器１−１のための表示器用電源電力を伝送する。その他のスイッチ（図示省略）により電気的に「接続」又は「切断」の状態になる伝送ラインＬ５〜Ｌ７は、ＰＩＮ１３〜ＰＩＮ１８の端子（図３、図４参照）の信号を伝送する。
【００３４】
切替制御部２７Ａは、入力部２７１と第一のコネクタ２９の端子の「Ｐｉｎ１９」とをリード線やパターン配線等で接続し、「Ｐｉｎ１９」に供給されるＨＩＧＨレベル又はＬＯＷレベルの電圧値を入力信号Ｘとしてモニタする。また、切替制御部２７Ａは、出力部２７２と切替部２８Ａとをリード線やパターン配線等で接続し、入力部２７１の電圧レベルに応じて切替部２８Ａの全てのスイッチＳＷ１、ＳＷ２、・・・にスイッチをオン又はオフする制御信号Ｙを出力する。
【００３５】
例えば、切替制御部２７Ａは入力部２７１において所定値以上の高い値を示す電圧をＨＩＧＨレベルの信号として入力する。また、切替制御部２７Ａは入力部２７１において所定値以下の低い値を示す電圧をＬＯＷレベルの信号として入力する。切替制御部２７Ａは、入力部２７１に入力信号ＸとしてＨＩＧＨレベルの信号が入力されると、内部で電圧増幅するなどして出力部２７２から制御信号Ｙとして切替部２８Ａの全てのスイッチＳＷ１、ＳＷ２、・・・をオンにする信号を出力する。また、入力部２７１に入力信号ＸとしてＬＯＷレベルの信号が入力されると、出力部２７２から制御信号Ｙとして切替部２８Ａの全てのスイッチＳＷ１、ＳＷ２、・・・をオフにする信号（０Ｖ等）を出力する。
【００３６】
スイッチＳＷ１、ＳＷ２、・・・は、それぞれ、伝送ラインＬ１、Ｌ２、・・・、Ｌ７のスイッチ回路である。スイッチＳＷ１、ＳＷ２、・・・は、切替制御部２７Ａが出力する制御信号Ｙに応じて対応する伝送ラインＬ１、Ｌ２、・・・、Ｌ７を電気的に接続又は切断する。
【００３７】
図６は、Ｐｉｎ１９においてＰＯＳ用の表示器１−１及び汎用表示器の接続を検出するための構成を示す図である。
本実施形態では、電源部Ｐの３．３Ｖ電源供給部Ｐ−２が端子「Ｐｉｎ２０」に＋３．３Ｖの電圧（信号Ｄ）を供給する。信号Ｄは端子「Ｐｉｎ２０」と信号線Ｋ２により繋がる端子Ｔ２に入力する。ＰＯＳ用の表示器１−１は、端子Ｔ２に入力した信号Ｄ、つまり＋３．３Ｖの電圧を本体部１−２の端子「Ｐｉｎ１９」に信号線Ｋ１により繋がる端子Ｔ１にループバック手段６０によりループバックする。ループバック手段６０は、例えば、ＰＯＳ用の表示器１−１の端子Ｔ２と端子Ｔ１とを、リード線やパターン配線等の短絡手段６１により接続するなどして設ける。
【００３８】
これにより、ＰＯＳ用の表示器１−１を接続させた場合に本体部１−２の端子「Ｐｉｎ１９」に＋３．３Ｖの電圧が発生し、その電圧（ＨＩＧＨレベル信号）を切替制御部２７Ａが入力信号Ｘとして入力する。切替制御部２７Ａは、そのＨＩＧＨレベル信号の入力により、スイッチ回路ＳＷ１、ＳＷ２、・・・（図７参照）のスイッチを閉じるための信号を制御信号Ｙとして出力部２７２から出力する。これにより全ての伝送ラインＬ１〜Ｌ７を電気的に接続し、本体部１−２とＰＯＳ用の表示器１−１間の電気信号の伝送が可能になる。
【００３９】
図７は全ての伝送ラインを電気的に接続したときの状態を示す図である。
図７に示すように、スイッチＳＷ１、ＳＷ２、・・・のスイッチが閉じ、全ての伝送ラインＬ１〜Ｌ７が汎用プラグケーブルＣ１を介してＰＯＳ用の表示器１−１と電気的に接続する。これにより、例えば、伝送ラインＬ１により表示信号がＰＯＳ用の表示器１−１側に入力する。また、伝送ラインＬ２によりタッチパネル制御信号（操作信号等）が本体部１−２側に入力する。また、伝送ラインＬ３によりオーディオ信号がＰＯＳ用の表示器１−１側に入力する。また、伝送ラインＬ４により表示器用電源電力がＰＯＳ用の表示器１−１側に入力する。
【００４０】
一方、図６において、ＰＯＳ用の表示器１−１と誤って汎用表示器を接続させた場合、切替部２８Ａは全ての伝送ラインＬ１〜Ｌ７を電気的に切断する。
【００４１】
図８は全ての伝送ラインを電気的に切断したときの状態を示す図である。
汎用表示器８０は、汎用タイプの端子構成をとる、そのため、本体部１−２の３．３Ｖ電源供給部Ｐ−２が端子「Ｐｉｎ２０」に供給した＋３．３Ｖの電圧（信号Ｄ）は汎用表示器８０の端子Ｔ８２から標準の供給電圧として入力される。汎用表示器８０はループバック手段６０（図６参照）を備えないため、本体部１−２の端子「Ｐｉｎ１９」に対応する汎用表示器８０の端子Ｔ８１は汎用タイプの端子構成通り、ＧＮＤとなる。従って、本体部１−２の端子「Ｐｉｎ１９」はＧＮＤとなり、切替制御部２７Ａは入力信号ＸとしてＬＯＷレベル信号を入力する。切替制御部２７Ａは、そのＬＯＷレベル信号の入力により、スイッチＳＷ１、ＳＷ２、・・・を開くための信号を制御信号Ｙとして出力する。
【００４２】
図８に示すように、スイッチＳＷ１、ＳＷ２、・・・のスイッチが開き、全ての伝送ラインＬ１〜Ｌ７がＰＯＳ用の表示器１−１と電気的に切断される。これにより、伝送ラインＬ１〜Ｌ７の電気信号の伝送を強制的に行えないようにする。
【００４３】
本実施形態では、更に、コネクタの端子「Ｐｉｎ１９」にプルダウン抵抗を設ける。
図９は、プルダウン抵抗を設けた場合の構成図である。
図９に示すように、第一のコネクタ２９の端子「Ｐｉｎ１９」をプルダウン抵抗Ｒ１を介してグランドに接続する。プルダウン抵抗Ｒ１は、端子「Ｐｉｎ１９」に現れる電圧を「Ｈｉｇｈ」レベル又は「Ｌｏｗ」レベルの何れか一方に保障するためのものである。プルダウン抵抗Ｒ１により、ＰＯＳ用の表示器１−１（図７参照）が接続された場合に、「Ｈｉｇｈ」レベルの信号が端子「Ｐｉｎ１９」に安定して供給されるようになる。また、汎用表示器８０（図８参照）が接続された場合や未接続の場合には、「Ｌｏｗ」レベルの信号が端子「Ｐｉｎ１９」に安定して供給されるようになる。
【００４４】
次に、本体部１−２と表示器とを汎用プラグケーブルＣ１（図７、図８参照）で接続するときの商品読取装置１の動作手順について説明する。
図１０は、本体部１−２と表示器（ＰＯＳ用の表示器１−１又は汎用表示器８０）とを汎用プラグケーブルで接続するときの商品読取装置１の動作手順を示すフローチャートである。以下、図１０に示すフローチャートを図５〜図８を参照しながら説明する。
【００４５】
先ず、切替制御部２７Ａは、第一のコネクタ２９を介して表示器が接続されるまで切替部２８ＡのスイッチＳＷ１〜ＳＷ４を開く制御信号を出力して待機する（Ｓ１：Ｎｏ）。待機中は、表示器が接続されていないため、第一のコネクタ２９の端子「Ｐｉｎ１９」はＧＮＤとなり、切替制御部２７Ａの入力部２７１がＬＯＷレベル入力となる。この間、切替制御部２７Ａは出力部２７２から切替部２８ＡにスイッチＳＷ１、ＳＷ２、・・・を開く制御信号を出力する。
【００４６】
次に、本体部１−２の第一のコネクタ２９に表示器が接続されると（Ｓ１：Ｙｅｓ）、切替制御部２７Ａは、接続先の表示器がＰＯＳタイプの表示器であるかを識別する（Ｓ２）。
【００４７】
ここでは、ユーザが第一のコネクタ２９と表示器のコネクタに汎用プラグケーブルのプラグを差し込む。すると、３．３Ｖ電源供給部Ｐ−２が第一のコネクタ２９の端子「Ｐｉｎ２０」に（＋）３．３Ｖの電圧を供給する。接続先の表示器がＰＯＳタイプの場合、端子「Ｐｉｎ２０」の電圧が表示器側でループバックされ、第一のコネクタ２９の端子「Ｐｉｎ１９」に３．３Ｖの電圧が発生する。一方、接続先の表示器が汎用タイプの場合は、端子「Ｐｉｎ２０」に供給した＋３．３Ｖの電圧は、汎用タイプの端子構成に示される通りの供給電圧として入力される。汎用タイプの表示器はループバック手段を備えないため、本体部１−２の端子「Ｐｉｎ１９」もまた汎用タイプの端子構成が示す通りのＧＮＤになる。切替制御部２７Ａは、端子「Ｐｉｎ１９」の電圧をモニタし、その電圧レベルに応じて接続先の表示器のタイプを識別して制御信号を出力する。
【００４８】
続いて、切替制御部２７Ａは、入力部２７１が３．３Ｖ等のＨＩＧＨレベル信号入力になると、伝送ラインＬ１〜Ｌ７を接続するための制御信号を出力する（Ｓ３：Ｙｅｓ）。
【００４９】
ステップＳ３の上記制御信号により、スイッチＳＷ１、ＳＷ２、・・・が閉じ、伝送ラインＬ１〜Ｌ７が本体部１−２と表示器（この場合、ＰＯＳ用の表示器１−１）との間で電気的に接続される（Ｓ４）。
【００５０】
ステップＳ４の電気的な接続により、本体部１−２から表示器へ各種の信号や表示用電源などが伝送されることになる。
【００５１】
一方、切替制御部２７Ａは、入力部２７１がＧＮＤのＬＯＷレベル信号入力になると、伝送ラインＬ１〜Ｌ７の接続を切断する制御信号を出力する（Ｓ３：Ｎｏ）。
【００５２】
ステップＳ３の切断を示す制御信号の出力により、スイッチＳＷ１、ＳＷ２、・・・が開き、伝送ラインＬ１〜Ｌ７が本体部１−２と表示器（この場合、汎用表示器）との間で電気的に切断される（Ｓ５）。
【００５３】
なお、本例の構成では、表示器の未接続状態では、スイッチＳＷ１、ＳＷ２、・・・が開き伝送ラインＬ１〜Ｌ７が本体部１−２と表示器との間で電気的に切断されている。従って、ＰＯＳタイプの端子構成とは異なる汎用タイプの表示器が接続された場合、スイッチＳＷ１、ＳＷ２、・・・が閉じることはないため、本体部１−２や表示器に対して、設定とは異なる信号や電力が突入することを防ぐことができる。一方、ＰＯＳタイプの端子構成の表示器が接続された場合は、スイッチＳＷ１、ＳＷ２、・・・が閉じ、本体部１−２やその表示器に対して、設定通りの信号や電力が伝送する。
【００５４】
本実施形態では、表示器の未接続状態においてスイッチＳＷ１、ＳＷ２、・・・が開く構成のものを示した。しかし、表示器の未接続状態において、スイッチＳＷ１、ＳＷ２、・・・を閉じ、汎用タイプの表示器が接続されたときに伝送ラインＬ１〜Ｌ７を電気的に切断する構成のものに変形しても良い。
【００５５】
本実施形態では、全ての伝送ラインＬ１〜Ｌ７の接続及び切断を行ったが、接続及び切断の対象とする伝送ラインは適宜決めても良い。例えば、相互機器に電気的な影響を与えない場合は、その伝送ラインを切替制御の対象から除外しても良い。
【００５６】
また、伝送ラインＬ１〜Ｌ７は一例として示したものであり、他の伝送ラインとの組み合わせや変更を適宜行っても良い。
【００５７】
また、本実施形態をＤｉｓｐｌａｙＰｏｒｔ規格のミニプラグ構成のものに適用しても良い。
【００５８】
また、ＤｉｓｐｌａｙＰｏｒｔ規格に限らず、その他の規格のものに適宜適用しても良い。
【００５９】
切替制御部と切替部を本体部１−２に設けたが、その一部又は全体をプラグケーブルに設けても良い。
【００６０】
また、本実施形態では、係る電子機器と表示器として商品読取装置の本体部と表示器への適用例を示したが、この限りでない。その他のＰＯＳ用機器へ適用しても良い。例えば、係る電子機器と表示器をＰＯＳレジスタの本体部と表示器に適用しても良い。また、セルフＰＯＳの本体部と表示器に適用しても良い。表示器が店員用の表示器と客用の表示器の２台の接続が必要なときには、係る電子機器と表示器を、本体部と店員用の表示器、本体部と客用表示器に、それぞれ適用しても良い。
【００６１】
また、本実施形態では、接続インタフェースとしてＤｉｓｐｌａｙＰｏｒｔ規格のものを例に、本体部と表示器との構成を説明した。しかし、表示器以外の機器を周辺機器として本体部に接続し、接続時に非対応機器を識別するものへ拡張しても良い。
【００６２】
以上のように、本実施形態では、所定の機器に対応機器が接続された場合は伝送ラインを接続し、非対応機器が接続された場合は伝送ラインを切断するように構成した。このように、本実施形態では、接続か切断の何れかの状態にスイッチさせるようにしため、非対応機器が接続された場合は強制的に伝送ラインを切断できる。このため、コネクタの端子構成の異なる機器が接続される場合に、接続先の機器との電気的接続を防ぐことが可能になる。
【００６３】
以上の実施形態において、電子機器及び表示装置についての構成を説明したが、この実施形態は、例として提示したものであり、発明の範囲を限定することは意図していない。この新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【符号の説明】
【００６４】
２      マザーボード          
２０    ＣＰＵ              
２１    ＢＩＯＳ−ＲＯＭ  
２２    メモリ  
２３    チップセット  
２７    切替制御部  
２８    切替部  
２９    第一のコネクタ
２３０  ＵＳＢコントローラ  
２３１  ＶＧＡコントローラ  
２３２  サウンドコントローラ  
Ｐ      電源部  
【先行技術文献】
【特許文献】
【００６５】
【特許文献１】特開２０１４−１４７０４１号公報
【図１】
2016189164.tif 000003
【図２】
2016189164.tif 000004
【図３】
2016189164.tif 000005
【図４】
2016189164.tif 000006
【図５】
2016189164.tif 000007
【図６】
2016189164.tif 000008
【図７】
2016189164.tif 000009
【図８】
2016189164.tif 000010
【図９】
2016189164.tif 000011
【図１０】
2016189164.tif 000012